【事件の表示】
　平成　４年特許願第　　６５４０号「音声情報無線受渡しシステム」拒絶査定に対する審判事件［平成　５年　７月３０日出願公開、特開平　５−１９１３３５］について、次のとおり審決する。
【結　論】
　本件審判の請求は、成り立たない。
【理　由】
１．手続の経緯・本願発明
 　本願は、平成４年１月１７日の出願であって、その請求項１に係る発明は、平成１２年１２月８日付けの手続補正書により補正された特許請求の範囲の請求項１に記載されたとおりの次のものと認める。（以下、「本願発明」という。）
　
「音声情報を含む無線信号を受信して復調する手段と、上記復調された音声情報をディジタル化するA/Dコンバータと、上記ディジタル化された音声情報を記録するメモリと、上記メモリ中の音声情報をアナログ情報に変換するD/Aコンバータと、上記メモリ中に音声情報を記録していることを外部に知らせる手段と、上記アナログ情報に変換された音声情報を外部からの指示により音声として再生するとともに、受信した音声情報から無音区間を検出して、上記無音区間を圧縮または伸張する出力手段とを有する無線情報受信装置。」
　
２．各引用例記載の発明
　Ａ．これに対して、原査定の拒絶の理由において引用された特開平３−３２１２３号公報（以下、引用例１という。）には、次の事項が記載されている。
「　〔実施例〕　
  続いてこの発明に係る情報受信装置の一例を第１図以下を参照して詳細に説明する。
　第１図はこの発明の情報受信装置１０の一例を示すもので、発信者からのメッセージを記憶、再生する機能を有する。
　呼び出すべき特定の人が不在のときには、電話回線を利用して伝達された発信者のメッセージは、無線回線を用いて装置携帯者（受信者）に伝達される。
　すなわち、アンテナ１２で受信した信号は受信信号の処理部１４でＦＭ復調、波形整形処理などの信号処理が実行されたのち、後続する信号処理の関係で、一旦Ａ／Ｄ変換器１６でディジタル信号に変換される。このディジタル信号中より呼出し番号を表わす識別コードが制御部２０に供給される。
　制御部２０は図のように、ＣＰＵ２２の他に、各種の制御プログラムが格納されたプログラムＲＯＭ２４及び信号処理を行なうワークＲＡＭ２６を有する。
　呼出し番号は、その受信装置固有の識別番号であって、この呼出し番号は一旦ワークＲＡＭ２６にストアされたのち、受信装置固有の識別番号との一致、不一致が判別される。呼出し番号との一致が確認されると、制御部２０から発信部２８に駆動信号が送られてスピーカ３０が駆動されて呼出し音が鳴る。これで、装置携帯者は、自己への発信であることを聴覚的にしかも、確実に確認できる。
　発信者より呼出し信号に続いてメッセージがある場合には、音声データ記憶手段であるＲＡＭ３２がライトイネーブル状態に制御され、メッセージが所定のエリヤにストアされる。
　メッセージを記憶できる長さは、ＲＡＭ３２の容量によっても相違するが、1つのメッセージに対しては１０〜１５秒程度が適当である。
　操作部３４は記憶されたメッセージを再生し、その内容を確認するときに使用する。操作部３４から制御部２０に対して再生の指示が与えられると、ＲＡＭ３２に記憶されたメッセ-ジは一旦ワークＲＡＭ２６に転送されて、これがストアされ、その後これが読み出されて Ｄ／Ａ変換器３６でアナログの音声信号に変換され、そして、アンプ３８を経てイヤホーン４０で特定のメッセージが再生される。
　したがって、受信者は発信者のメッセージの内容を、詳細に確認できる。
　操作部３４より指示がない限り一度記憶された内容は保持されるが、ＲＡＭ３２の容量が一杯になったり、不要になったメッセージは操作部３４からの指示に従い一件づつ消去できる。
　第２図は、上述した処理を実現するための受信処理ルーチン５０のフローチャートであって、情報受信装置１０に対する呼出しがあったときには、装置本体に内蔵された識別番号とこの呼出し番号との確認処理が実行され、番号の確認がとれたときには、呼出し音を発信して、受信者に対して発信の確認が行なわれる（ステップ５２,５４）。
　その後、メッセージの記憶処理がなされ、次にＲＡＭ３２のメモリ容量の状態が判別され、メモリフルの状態のときには、再び発信部２８が駆動されて警告音が発信され る(ステップ５６〜６０）。
　この警告音は、上述した呼出し音とは異なるもので、メロディー、音色などを換えることによって、呼出し音なのか、警告音なのかを容易に識別できるように工夫されている。この警告音を発することによって、ＲＡＭ３２のデータを消去したりする作業を受信者に促すことができる。
　第３図はメッセージの再生処理ルーチン７０の一例であって、操作部３４からのキー入力があると、まずＲＡＭ３２にストアされているデータの有無が確認され、データがあるときには、ストアされているデータのうち、何件目のデータを読み出すのかが、操作部３４のテンキーを使用して指示される（ステップ７２，７４）。
　次に、操作部３４で指定されたデータ（メッセージ）が読み出されて、これが再生される（ステップ７６）。再生されたデータの再利用は、キー入力の有無で判別し、その指定がないときには、他のデータを再生するかどうかがチェックされ、指定があるときには、ステップ７４に戻り、同様な処理をを繰り返す(ステップ７８,８０ )。
　上述した構成には、装置内に表示部がないが、液晶などの表示素子を使用して、これに送信者の電話番号、名前などの回線入力情報を表示することもできる。
　　　　　　　　「発明の効果」
　以上より明らかなように、この発明では、発信者のメッセージをそのまま記憶して、必要なときにこれを再生することができるようにしたものである。
　これによれば、発信者が電話をかけてきた理由、その具体的な要件、緊急の有無などを、発信者の肉声をもって伝達できるから、特定の人が不在でもその人に、必要かつ十分な内容を伝達できる特徴を有する。
　したがって、ボケットベルなどの情報受信装置に適用して極めて好適である。 」（第２頁右上欄第８行〜第３頁左下欄第７行より抽出）
　
　上記の記載事項から、引用例１には、全体として、電話回線を利用して装置携帯者を呼び出すために個別呼び出し番号を持つ携帯用の情報受信装置であって、無線回線を介して、特定の呼出し番号を受信すると装置携帯者に受信したことを知らせる手段と、送信者からの音声メッセージの内容をデジタル化して記憶する手段と、装置携帯者からの要求によりその記憶内容を音声信号として再生する手段とを備えた無線情報受信装置が記載されているものと認められる。
　
　上記の事項及び第１〜３図の記載事項を勘案すると、上記引用例１には、
　
　音声メッセージ情報を含む無線信号を受信するアンテナ１２と、その受信した信号のＦＭ復調、波形整形処理などの信号処理を実行する受信信号処理部１４と、受信信号処理を経た信号をディジタル信号に変換するＡ／Ｄ変換器１６と、上記ディジタル化された音声メッセージを記録する音響データ記憶用ＲＡＭ３２と、上記ＲＡＭ３２に記憶されたメーセージをアナログの音声信号に変換するＤ／Ａ変換器３６と、使用者の指示を入力する操作部３４と、Ｄ／Ａ変換器の出力であるアナログの音声信号を増幅するアンプ３８と、アンプの出力信号により音声メッセージを再生するイアホーン４０と、制御部２０、とを備え、操作部３４から再生の指示が制御部２０に与えられると、上記ＲＡＭ３２に記憶されていたメッセージが読み出され、上記Ｄ／Ａ変換器３６でアナログの音声信号に変換された信号がアンプ３８を経てイアホーン４０に供給され、特定のメッセージが再生出力されるところの無線情報受信装置。
の発明（以下、引用例１記載の発明という。）が記載されていると認められる。
　
　Ｂ．同じく原査定の拒絶の理由において引用された特開昭６４−８６２００号公報（以下、引用例２という。）には、「音声録音再生装置」の発明が記載されており、次の事項が記載されている。
（１）「再生時の動作を説明する。録音時に音声符号メモリ４に記憶された符号は無音区間処理装置５によってサンプリング周波数発振器９からの信号に同期して読み出される。無音区間処理装置５は読み出した符号が無音区間であることを示すマーカー符号であるか否かを判定する。読み出した符号がマーカー符号でない場合には、その符号が復号化器６へ出力される。読み出した符号がマーカー符号であれば、マーカー符号の直後に格納されている無音時間符号を読み出す。次に、無音区間処理装置５は符号の読み出しを中断し、無音時間符号から無音区間の継続時間Ｔｕを求め、無音時間制御信号８に従って上で求めた無音区間の継続時間を制御する。続いて、制御された継続時間（これをＴｕｒとする）分のマーカー符号が復号化器６へ出力される。復号化器６は無音区間処理装置５から出力された符号を復号化し音声信号を出力する。この時マーカー符号は復号化器６によって無音音声信号に復号化される。」（第４頁左上欄第１６行〜同頁右上欄第１４行より抽出。）
（２）「第２図に録音、再生時の音声信号と音声符号メモリ４の内容との関係を示す。有音無音判定器３によって無音と判定された入力音声信号の区間については、その継続時間Ｔｕ１，Ｔｕ２が符号化されて無音時間符号となり、マーカー符号と共に音声符号メモリに格納されている。再生された音声信号における無音区間の継続期間Ｔｕｒ１およびＴｕｒ２にそれぞれ短縮されている。
　無音区間の継続時間Ｔｕの制御手段としては、第３図（ａ）に示すように継続時間Ｔｕを２，４または１といった定数で割って短縮された継続時間Ｔｕｒとする手段、第３図（ｂ）に示すようにＴｕの対数をとったものに定数を加算、乗算してＴｕｒとする手段、および第３図（ｃ）に示すようにある一定の時間Ｔｔｈを設定しておいてＴｔｈを越えるＴｕに対しては一律にＴｕｒ＝Ｔｔｈとする手段が無音区間処理装置５に設けられている。使用者は制御信号入力手段１１を設定して適切な無音時間制御信号８を無音区間処理装置５へ供給することにより、所望の制御手段を選択し、そこで用いられる定数を設定することができる。制御手段は単独で機能させるだけでなく、組み合わせて用いることもできる。第３図（ｄ）に示されているのは組み合わせの一例である。ここでは Ｔｕは第３図（ａ）の手段で短縮された後、第３図（ｃ）の手段でＴｔｈ以内に制限されている。また、第３図（ｂ）の手段で対数をとり，その後第３図（ｃ）の手段で制限を加えることもできる。無音時間制御信号８の設定は、人手によらず、他の制御装置等によって行われることも可能である。」（第４頁右上欄第１５行〜同頁右下欄第３行より抽出。）
（３）「録音した音声の無音区間の継続時間が再生時に柔軟に制御されるので、聞きやすい再生音声を提供することができる。」（第６頁左上欄第１４〜１６行より抽出。）
　
３．対比
　そこで、本願発明と引用例１記載の発明とを比較すると、
　引用例１記載の発明の「音声メッセージ情報を含む無線信号を受信するアンテナ１２と、その受信した信号のＦＭ復調、波形整形処理などの信号処理を実行する受信信号処理部１４」、「受信信号処理を経た信号をディジタル信号に変換するＡ／Ｄ変換器１６」、「ディジタル化された音声メッセージを記録する音響データ記憶用ＲＡＭ３２」、「ＲＡＭ３２に記憶されたメーセージをアナログの音声信号に変換するＤ／Ａ変換器３６」は、それぞれ本願発明の「音声情報を含む無線信号を受信して復調する手段」、「復調された音声情報をディジタル化するA/Dコンバータ」、「ディジタル化された音声情報を記録するメモリ」、「メモリ中の音声情報をアナログ情報に変換するD/Aコンバータ」に相当している。
　そして、引用例１に記載された「使用者の指示を入力する操作部３４と、Ｄ／Ａ変換器の出力であるアナログの音声信号を増幅するアンプ３８と、アンプの出力信号により音声メッセージを再生するイアホーン４０と、制御部２０」の組合せにより、操作部３４から再生の指示が制御部２０に与えられると、上記ＲＡＭ３２に記憶されていたメッセージが読み出され、上記Ｄ／Ａ変換器３６でアナログの音声信号に変換された信号がアンプ３８を経てイアホーン４０に供給され、特定のメッセージが再生出力されるものであるので、上記の組合せは、本願発明の、「アナログ情報に変換された音声情報を外部からの指示により音声として再生する出力手段」に相当しているので、
　
　両者は、
音声情報を含む無線信号を受信して復調する手段と、上記復調された音声情報をディジタル化するA/Dコンバータと、上記ディジタル化された音声情報を記録するメモリと、上記メモリ中の音声情報をアナログ情報に変換するD/Aコンバータと、上記アナログ情報に変換された音声情報を外部からの指示により音声として再生する出力手段とを有する無線情報受信装置。　
の点で一致する。
　
　ただ、以下の点において、両者の間に相違が認められる。
（１）本願発明においては、「メモリ中に音声情報を記録していることを外部に知らせる手段」を備えているものであるのに対して、引用例１においては、メッセージ着信時に着信があったことを知らせる手段を備えているものの、「メモリ中に音声情報を記録していることを外部に知らせる手段」を備えることは明記されていない点。
　
（２）本願発明において、出力手段が、「受信した音声情報から無音区間を検出して、上記無音区間を圧縮または伸張する」機能を備えているのに対して、引用例１においては、この機能について記載されていない点。
　
４．当審の判断
　そこで、上記各相違点について検討すると、
（１）引用例１には、「第３図はメッセージの再生処理ルーチン７０の一例であって、操作部３４からのキー入力があると、まずＲＡＭ３２にストアされているデータの有無が確認され、データがあるときには、ストアされているデータのうち、何件目のデータを読み出すのかが、操作部３４のテンキーを使用して指示される（ステップ７２，７４）。」（第３頁左上欄第１８行〜同頁右上欄第４行）という、ＲＡＭ内にデータに記憶されているメッセージデータの件数が外部に表示されれば使用者の利便性が高まるであろうことを示唆する記載があり、また、「上述した構成には、装置内に表示部がないが、液晶などの表示素子を使用して、これに送信者の電話番号、名前などの回線入力情報を表示することもできる。」（第３頁右上欄第１２〜１５行）という、表示部を設けることを示唆する記載がある。
　そして、留守番電話等の音声メッセージを記録しておき使用者の指示により再生する装置において、記録されているメッセージの件数を表示するなど、記録装置に音声情報が記録されていることを外部に知らせる手段を設けることは、周知（特開昭５７−１９９３６１号公報、特開昭６３−２６３８６８号公報、を参照。）であるので、引用例１記載の発明において、メモリ中に音声情報を記録していることを外部に知らせる手段を設けることは、当業者であれば容易に想到し得たことと認められる。
　
（２）上記引用例２には、音声録音再生装置において、再生時に、記憶されていた音声符号を読み出し、読み出した符号が無音区間であることを示すマーカー符号であった場合には無音区間であると判定し、この無音区間の継続時間を、入力音声信号における無音継続時間Ｔｕよりも短い無音継続時間Ｔｕｒとなるように短縮すること、さらに、この発明の効果として「録音した音声の無音区間の継続時間が再生時に柔軟に制御されるので、聞きやすい再生音声を提供することができる」ことが記載されている。
　そして、テープレコーダ等の音声記録再生装置において、ユーザーの利便を考慮して、再生時に早聞きまたは遅聞きができるように構成することは、周知（特開昭６２−１６７６５０号公報、特開昭６４−４２０７３号公報、特開昭６４−７２１９９号公報、特開平３−２１９４６２号公報、を参照。）であるので、引用例１記載の発明において、記録しておいた音声を再生し出力する手段に、受信した音声情報から無音区間を検出して、上記無音区間を圧縮または伸張する機能を設けることは、当業者であれば容易に想到し得たことである。
　
　よって、上記相違点（１）及び（２）は、格別なものとは認められない。
　また、本願発明の効果も、当業者であれば当然に予想できる範囲内のものであり、格別なものではない。　
　
５．むすび
　以上のとおりであるから、本願発明は、上記引用例１及び２記載の発明に基いて当業者が容易に発明をすることができたものと認められ、特許法第２９条第２項の規定により特許を受けることができない。
　よって、上記結論のとおり審決する。